(57)【要約】      （修正有）【課題】照度を高めることの可能な照明装置を提供する。【解決手段】照明装置は、略半円筒状の筐体１０、及びその筐体１０の開口側の端部に取り付けられた略半円筒状の透光性カバー５０により筒体に形成される。ＬＥＤチップ３１が実装された基板３０は、筐体１０の透光性カバー５０とは反対側に位置する筐体１０の底部に設けられる。リフレクタ４０は、ＬＥＤチップ３１の周囲の基板３０を覆う底板４１、及びその底板４１の幅方向左右の端部からそれぞれ筐体１０の開口側の端部へ延びる左右の側板４２、４３を有し、ＬＥＤチップ３１が発光した光を反射可能である。ＬＥＤチップ３１が発光した光がリフレクタ４０に反射すると、その光は透光性カバー５０の中央付近に集光する。【選択図】図１
0003177429.tif 000002
【実用新案登録請求の範囲】
【請求項１】
略半円筒状の筐体と、
前記筐体の開口側の幅方向左右の端部に取り付けられ、前記筐体と共に筒体を形成する略半円筒状の透光性カバーと、
前記筐体の開口よりも前記透光性カバーとは反対側に位置する前記筐体の底部に設けられた基板と、
前記基板の前記透光性カバー側に実装されたＬＥＤチップと、
前記ＬＥＤチップの周囲の前記基板を覆う底板、及びその底板の幅方向左右の端部からそれぞれ前記筐体の開口側の幅方向左右の端部へ延びる左右の側板を有し、前記ＬＥＤチップが発光した光を反射可能なリフレクタと、を備えたことを特徴とする照明装置。
【請求項２】
前記筐体は、
略半円筒状の外殻と、
前記外殻から径内方向へ延び、前記基板を取り付け可能な台座と、を有することを特徴とする請求項１に記載の照明装置。
【請求項３】
前記筐体は、前記外殻の幅方向の一方の端部から径内方向へ突出する第１凸条部と、前記外殻の幅方向の他方の端部から径内方向へ突出する第２凸条部と、を有し、
前記リフレクタは、一方の前記側板の前記透光性カバー側の端部が前記第１凸条部に係止され、他方の前記側板の前記透光性カバー側の端部が前記第２凸条部に係止されることを特徴とする請求項１または２に記載の照明装置。
【請求項４】
前記透光性カバーは、
前記リフレクタの一方の前記側板の前記透光性カバー側の端部に被さる第１保持部と、
前記リフレクタの他方の前記側板の前記透光性カバー側の端部に被さる第２保持部と、を有することを特徴とする請求項３に記載の照明装置。
【考案の詳細な説明】
【技術分野】
【０００１】
本考案は、直管形のＬＥＤ（Light Emitting Diode）照明装置に関する。
【背景技術】
【０００２】
従来より、室内の天井などに設けられる直管形のＬＥＤ照明装置が知られている。
特許文献１に記載の照明装置は、略半円筒状の筐体、及びその筐体の開口側の端部に取り付けられた略半円筒状の透光性カバーにより直管形の筒体を形成している。筒体の内側には、ＬＥＤチップが実装された基板が、略半円筒状の筐体の開口を塞ぐように設けられる。そのＬＥＤチップが発光した光は、透光性カバーから外部へ照射される。
【先行技術文献】
【特許文献】
【０００３】
【特許文献１】特開２０１１−１５４９９３号公報
【考案の概要】
【考案が解決しようとする課題】
【０００４】
しかしながら、特許文献１の照明装置では、ＬＥＤチップが発光した光は、その一部が透光性カバーの幅方向へ照射される。そのため、透光性カバーの幅方向に照射された光量分、透光性カバーの中央付近の照度が低くなると、照明装置が設けられた室内において、照明装置直下の居住空間を暗く感じることになる。
また、透光性カバーの中央付近の照度を高めるために、ＬＥＤチップが実装された基板の表面を白色塗装し、基板の反射効率を高めると、塗装工程による製造コストが高くなることが懸念される。
本考案は、上記問題に鑑みてなされたものであり、照度を高めることの可能な照明装置を提供することを目的とする。
【課題を解決するための手段】
【０００５】
本考案は、略半円筒状の筐体と略半円筒状の透光性カバーとにより筒体を形成する照明装置において、筐体の開口よりも透光性カバーとは反対側に位置する筐体の底部に設けた基板にＬＥＤチップを実装することを特徴とする。リフレクタは、ＬＥＤチップの周囲の基板を覆う底板、及びその底板の幅方向左右の端部からそれぞれ筐体の開口側の幅方向左右の端部へ延びる左右の側板を有し、ＬＥＤチップが発光した光を反射可能である。
【０００６】
これにより、ＬＥＤチップが発光した光は、透光性カバーから直接外部へ照射されるか、或いは、透光性カバー又はリフレクタに反射した後、透光性カバーから外部へ照射される。ＬＥＤチップが発光した光がリフレクタに反射すると、その光は透光性カバーの中央付近に集光する。したがって、照明装置は、透光性カバーの幅方向に照射される光を透光性カバーの中央付近に集光し、照明装置の高さ方向の照度を高くする。よって、この照明装置を室内の天井に取り付けた場合、従来の照明装置と比較して照明装置直下の居住空間を明るくすることができる。
【図面の簡単な説明】
【０００７】
【図１】本考案の一実施形態による照明装置の断面図である。
【図２】図１のＩＩ−ＩＩ線の断面図である。
【図３】図１のＩＩＩ方向における、照明カバーを取り外した状態の平面図である。
【図４】図１のＩＶ方向の矢視図である。
【図５】本考案の一実施形態による照明装置の組立て方法を示す説明図である。
【考案を実施するための形態】
【０００８】
以下、本考案の実施形態を図面を参照して説明する。
（一実施形態）
本考案の一実施形態を図１〜図５に示す。本実施形態の照明装置１は、室内の天井または壁面などに取り付けて使用することが可能な直管形のＬＥＤ照明装置である。
なお、以下の説明において、図１〜図５に記載した座標におけるＸ方向、Ｙ方向、Ｚ方向をそれぞれ照明装置１の長手方向、幅方向、高さ方向として説明する。
【０００９】
照明装置１は、筐体１０、基板３０、ＬＥＤチップ３１、リフレクタ４０および透光性カバー５０などを備えている。
筐体１０は、例えばアルミなどの熱伝導性の高い金属、樹脂、またはセラミックなどから略半円筒状に形成される。なお、略半円筒状とは、円筒の半分の状態に加え、円筒の半分よりも周方向に延びた状態、並びに円筒の半分よりも周方向に縮めた状態を含むことをいう。
【００１０】
筐体１０は、外殻１０１、爪部１２、１３、台座１４、１５、ガイド１６、１７、第１凸条部２１、第２凸条部２２、第１ストッパ２３及び第２ストッパ２４を有している。
外殻１０１は、略半円筒状に形成され、その径外側の面に長手方向に延びる複数の溝１１を有する。これにより、外殻１０１は、径外側の表面積を大きくし、放熱性を高めている。
爪部１２、１３は、外殻１０１の開口側の端部から径内方向に突出する。この爪部１２、１３に透光性カバー５０が係止される。なお、図１では、筐体１０の開口を概念的に破線Ａで示している。
【００１１】
台座１４、１５は、外殻１０１から径内方向に延び、基板３０を取り付け可能である。台座１４、１５は、透光性カバー５０とは反対側に位置する筐体１０の底部に設けられる。
台座１４、１５の幅方向左右にガイド１６、１７が設けられる。このガイド１６、１７と台座１４、１５との間に基板３０が取り付けられる。
【００１２】
第１凸条部２１は、外殻１０１の開口側の一方の端部から径内方向へ突出し、第２凸条部２２は、外殻１０１の開口側の他方の端部から径内方向へ突出する。第１凸条部２１と第２凸条部２２は、爪部１２、１３よりも底部側に位置する。さらに、第１凸条部２１よりも底部側に断面が円弧状の第１ストッパ２３が設けられ、第２凸条部２２よりも底部側に断面が円弧状の第２ストッパ２４が設けられる。
【００１３】
基板３０は、例えばＦＲ４などの樹脂基板、または金属基板から形成され、ガイド１６、１７と台座１４、１５との間に設けられている。基板３０は、筐体１０の長手方向からガイド１６、１７と台座１４、１５との間に挿入される。或いは、台座１４、１５の上に基板３０を載置した後、ガイド１６、１７を熱かしめなどによって曲げることで、筐体１０に基板３０を固定してもよい。
【００１４】
複数個のＬＥＤチップ３１は、基板３０の長手方向に直列に等間隔で配置され、基板３０の透光性カバー側の表面に実装されている。ＬＥＤチップ３１は、比較的大型のものを用いることで、照度を維持したまま、その個数を少なくすることが可能である。
基板３０の長手方向の両端には、ＬＥＤチップ３１に流れる電流の向きを定めることの可能なダイオードなどの電子部品３２が実装されている。
【００１５】
リフレクタ４０は、例えば白色など光の反射率の高い色の樹脂または金属などから形成され、ＬＥＤチップ３１が発光した光を反射可能である。リフレクタ４０は、ＬＥＤチップ３１の周囲の基板３０を覆う底板４１、及びその底板４１の幅方向左右の端部からそれぞれ筐体１０の開口側の幅方向左右の端部へ延びる左右の側板４２、４３を有する。
リフレクタ４０の底板４１には、複数のＬＥＤチップ３１に対応する複数の穴４４が設けられている。なお、リフレクタ４０の板厚とＬＥＤチップ３１の厚さとは略同一である。
リフレクタ４０は、一方の側板４２の透光性カバー側の端部が第１凸条部２１の基板側の端面に係止され、他方の側板４３の透光性カバー側の端部が第２凸条部２２の基板側の端面に係止される。また、リフレクタ４０は、一方の側板４２の幅方向外側の端面が第１ストッパ２３に当接し、他方の側板４３の幅方向外側の端面が第２ストッパ２４に当接し、外側に開くことが防がれている。
【００１６】
透光性カバー５０は、半透明または透明の樹脂またはガラスなどから略半円筒状に形成される。透光性カバー５０は、筐体１０の爪部１２、１３に対応して設けられた断面コの字状の凹溝部５１、５２を有する。筐体１０の爪部１２、１３に透光性カバー５０の凹溝部５１、５２が嵌まり込むことで、透光性カバー５０は筐体１０に固定される。透光性カバー５０と筐体１０とは、直管形の筒体を形成する。
【００１７】
透光性カバー５０は、一方の凹溝部５１から径内側へ延びリフレクタ４０の一方の側板４２の端部に被さる第１保持部５３と、他方の凹溝部５２から径内側へ延びリフレクタ４０の他方の側板４３の端部に被さる第２保持部５４とを有する。第１保持部５３は、リフレクタ４０の一方の側板４２が第１凸条部２１から径内方向へ突出することを防いでいる。第２保持部５４は、リフレクタ４０の他方の側板４３が第２凸条部２２から径内方向へ突出することを防いでいる。
【００１８】
透光性カバー５０と筐体１０により形成された筒体の両端には、樹脂などから有底筒状に形成された口金６０、６１が取り付けられている。口金６０、６１は、筐体１０の第１凸条部２１と第１ストッパ２３との間に形成された円筒状の空間、及び第２凸条部２２と第２ストッパ２４との間に形成された円筒状の空間に、ねじ６２、６３を立て込むことで固定される。
口金６０、６１に設けられた端子６４、６５と基板３０の電子回路とは、配線６６、６７によって電気的に接続されている。
【００１９】
次に、照明装置１の組立て方法を図５を参照して説明する。
まず、図５の（１）の矢印に示すように、ＬＥＤチップ３１等が実装された基板３０が取りけられた筐体１０の高さ方向から、リフレクタ４０の底板４１を基板３０に載置する。
次に、図５の（２）、（３）の矢印に示すように、リフレクタ４０の一方の側板４２の端部を第１凸条部２１の基板側の端面に嵌め込み、リフレクタ４０の他方の側板４３の端部を第２凸条部２２の基板側の端面に嵌め込む。
続いて、図５の（４）の矢印に示すように、透光性カバー５０の凹溝部５１、５２を筐体１０の爪部１２、１３に嵌め込む。このとき、透光性カバー５０の第１保持部５３が、リフレクタ４０の一方の側板４２の端部に被さり、第２保持部５４がリフレクタ４０の他方の側板４３の端部に被さる。
最後に、透光性カバー５０と筐体１０により形成された筒体の両端に口金６０、６１を取り付け、照明装置１が完成する。
【００２０】
本実施形態では、以下の作用効果を奏する。
（１）本実施形態では、筐体１０の底部に設けられた基板３０にＬＥＤチップ３１が実装される。リフレクタ４０は、底板４１がＬＥＤチップ３１の周囲の基板３０を覆うと共に、左右の側板４２、４３が筐体１０の開口側の幅方向左右の端部へ延びる。これにより、ＬＥＤチップ３１が発光した光は、透光性カバー５０から直接外部へ照射されるか、或いは、透光性カバー５０又はリフレクタ４０に反射した後、透光性カバー５０から外部へ照射される。ＬＥＤチップ３１が発光した光がリフレクタ４０に反射すると、その光は透光性カバー５０の中央付近に集光する。したがって、照明装置１は、透光性カバー５０の幅方向に照射される光を透光性カバー５０の中央付近に集光し、照明装置１の高さ方向の照度を高くする。よって、この照明装置１を室内の天井に取り付けた場合、照明装置直下の居住空間を明るくすることができる。
【００２１】
（２）本実施形態では、筐体１０にリフレクタ４０を取り付けることで従来の塗装工程を廃止できるので、基板３０や筐体１０の内側を白色塗装することに比べ、照明装置１の製造コストを低減することができる。
（３）本実施形態では、基板３０に設けられた複数のＬＥＤチップ３１と透光性カバー５０との距離が遠くなるので、各ＬＥＤチップ３１が発光する光のばらつきを低減することができる。そのため、各ＬＥＤチップ３１を大型化して照度を維持すると共に、ＬＥＤチップ３１の個数を少なくすることが可能になる。これにより、照明装置１の製造コストを低減することができる。
【００２２】
（４）本実施形態では、リフレクタ４０は、一方の側板４２の透光性カバー側の端部が筐体１０の第１凸条部２１に係止され、他方の側板４３の透光性カバー側の端部が筐体１０の第２凸条部２２に係止される。これにより、接着材などを使用することなく、筐体１０にリフレクタ４０を容易に取り付けることが可能になる。
【００２３】
（５）本実施形態では、透光性カバー５０は、リフレクタ４０の一方の端部に被さる第１保持部５３と、リフレクタ４０の他方の端部に被さる第２保持部５４とを有する。第１保持部５３及び第２保持部５４は、リフレクタ４０の側板４２、４３が第１凸条部２１または第２凸条部２２から径内方向へ突出することを防ぐ。このため、製品搬送時の振動または室内取付時の振動などによりリフレクタ４０が筐体１０から外れることを防ぐことができる。
【００２４】
（６）本実施形態では、基板３０の取り付けられる台座１４、１５は、筐体１０の底部に設けられる。このため、ＬＥＤチップ３１から台座１４、１５を経由する筐体１０の外殻１０１までの放熱経路が短くなる。したがって、ＬＥＤチップ３１の放熱性が向上するので、ＬＥＤチップ３１の発光に消費する電力を低減すると共に、ＬＥＤチップ３１の耐久性を高めることができる。
【００２５】
（他の実施形態）
上述した一実施形態では、直管形の照明装置について説明した。これに対し、他の実施形態では、照明装置は、丸形または種々の形状としてもよい。
上述した一実施形態では、リフレクタを筐体に高さ方向から嵌め込むことでリフレクタと筐体とを組み付けた。これに対し、他の実施形態では、リフレクタを筐体に長手方向から挿し込むことでリフレクタと筐体とを組み付けてもよい。
上述した一実施形態では、透光性カバーを筐体に高さ方向から嵌め込むことでリフレクタと筐体とを組み付けた。これに対し、他の実施形態では、透光性カバーを筐体に長手方向から挿し込むことで透光性カバーと筐体とを組み付けてもよい。
本考案は、上記実施形態に限定されるものではなく、考案の趣旨を逸脱しない範囲において、種々の形態で実施することができる。
【符号の説明】
【００２６】
１  ・・・照明装置
１０・・・筐体
３０・・・基板
３１・・・ＬＥＤチップ
４０・・・リフレクタ
４１・・・底板
４２、４３・・・側板
５０・・・透光性カバー
【図１】
0003177429.tif 000003
【図２】
0003177429.tif 000004
【図３】
0003177429.tif 000005
【図４】
0003177429.tif 000006
【図５】
0003177429.tif 000007